(57)【要約】【課題】各構成部材を相互に回動自在に枢着している枢着部が外れるおそれがなく、軸が外部から見えることもないのみならず、組立てが容易な物干し用挟持具を提供する。【解決手段】二つの構成部材３ａ、３ｂには、それぞれ突片２１ａ、２１ｂと、凸部１１ａ、１１ｂと突壁１３ａ、１３ｂとよりなる突片受け１７ａ、１７ｂとを備えさせ、当該各構成部材はその一端部５ａ、５ｂが相互に接離自在になるように相互に回動自在に枢着し、該構成部材に備えさせたバネ７により当該各構成部材の一端部間に被固定物を挟持させる。前記各構成部材の突壁における凸部に臨む面にはそれぞれ軸部３１ａ、３１ｂを該軸部の先端面３１ａ’、３１ｂ’と該凸部との間に間隔３３ａ、３３ｂを置いた状態で突設し、前記突片には該軸部を受ける透孔３５ａ、３５ｂを形成し、以て該軸部をそれぞれ該透孔に回転自在に挿通させる。【選択図】図１
2019017629.tif 000002
【特許請求の範囲】
【請求項１】
二つの構成部材３ａ、３ｂを当該各構成部材３ａ、３ｂの一端部５ａ、５ｂが相互に接離自在になるように相互に回動自在に枢着し、該構成部材３ａ、３ｂに備えさせたバネ７により当該各構成部材３ａ、３ｂの一端部５ａ、５ｂ間に被固定物を挟持するようにし、
当該各構成部材３ａ、３ｂは、それぞれ一側縁９ａ、９ｂに丸い先端１１ａ’、１１ｂ’を有する凸部１１ａ、１１ｂを形成すると共に該凸部１１ａ、１１ｂの近傍にそれぞれ突壁１３ａ、１３ｂを設けることにより該凸部１１ａ、１１ｂと該突壁１３ａ、１３ｂとの間に隙間１５ａ、１５ｂを有する突片受け１７ａ、１７ｂを形成し、当該各構成部材３ａ、３ｂの他側縁９ａ’、９ｂ’にはそれぞれ凸部受け１９ａ、１９ｂを形成すると共に突片２１ａ、２１ｂを該凸部受け１９ａ、１９ｂの内側に設け、 
前記一方の構成部材３ａにおける凸部１１ａを前記他方の構成部材３ｂにおける凸部受け１９ｂに回動自在に嵌合させ、前記他方の構成部材３ｂにおける凸部１１ｂを前記一方の構成部材３ａにおける凸部受け１９ａに回動自在に嵌合させると共に、前記一方の構成部材３ａにおける突片２１ａを前記他方の構成部材３ｂにおける突片受け１７ｂの隙間１５ｂに回動自在に嵌合させ、前記他方の構成部材３ｂにおける突片２１ｂを前記一方の構成部材３ａにおける突片受け１７ａの隙間１５ａに回動自在に嵌合させた物干し用挟持具において、
前記各構成部材３ａ、３ｂの突壁１３ａ、１３ｂにおける凸部１１ａ、１１ｂに臨む面にはそれぞれ軸部３１ａ、３１ｂを該軸部３１ａ、３１ｂの先端面３１ａ’、３１ｂ’と該凸部１１ａ、１１ｂとの間に間隔３３ａ、３３ｂを置いた状態で突設し、前記突片２１ａ、２１ｂには該軸部３１ａ、３１ｂを受ける透孔３５ａ、３５ｂを形成し、以て該軸部３１ａ、３１ｂをそれぞれ該透孔３５ａ、３５ｂに回転自在に挿通させたことを特徴とする物干し用挟持具。
【請求項２】
前記突壁１３ａ、１３ｂに突設した前記各軸部３１ａ、３１ｂの各先端面３１ａ’、３１ｂ’には対向する構成部材３ａ（３ｂ）の前記突片２１ａ、２１ｂに臨む方向に向かって徐々に該突壁１３ａ、１３ｂに接近するように傾斜した傾斜面３７ａ、３７ｂを形成し、前記突片２１ａ、２１ｂにおける対向する構成部材３ａ（３ｂ）の軸部３１ａ、３１ｂに臨む面には該軸部３１ａ、３１ｂの通過溝３９ａ、３９ｂを該透孔３５ａ、３５ｂから該突片２１ａ、２１ｂの先端縁４１ａ、４１ｂまで形成し、該通過溝３９ａ、３９ｂの底部３９ａ’、３９ｂ’は対向する構成部材３ａ（３ｂ）の該軸部３１ａ、３１ｂに臨む方向に向かって徐々に深くなるように傾斜させたことを特徴とする請求項１に記載の物干し用挟持具。
【請求項３】
二つの構成部材３ａ、３ｂを当該各構成部材３ａ、３ｂの一端部５ａ、５ｂが相互に接離自在になるように相互に回動自在に枢着し、該構成部材３ａ、３ｂに備えさせたバネ７により当該各構成部材３ａ、３ｂの一端部５ａ、５ｂ間に被固定物を挟持するようにし、
当該各構成部材３ａ、３ｂは、それぞれ一側縁９ａ、９ｂに丸い先端１１ａ’、１１ｂ’を有する凸部１１ａ、１１ｂを形成すると共に該凸部１１ａ、１１ｂの近傍にそれぞれ突壁１３ａ、１３ｂを設けることにより該凸部１１ａ、１１ｂと該突壁１３ａ、１３ｂとの間に隙間１５ａ、１５ｂを有する突片受け１７ａ、１７ｂを形成し、当該各構成部材３ａ、３ｂの他側縁９ａ’、９ｂ’にはそれぞれ凸部受け１９ａ、１９ｂを形成すると共に突片２１ａ、２１ｂを該凸部受け１９ａ、１９ｂの内側に設け、 
前記一方の構成部材３ａにおける凸部１１ａを前記他方の構成部材３ｂにおける凸部受け１９ｂに回動自在に嵌合させ、前記他方の構成部材３ｂにおける凸部１１ｂを前記一方の構成部材３ａにおける凸部受け１９ａに回動自在に嵌合させると共に、前記一方の構成部材３ａにおける突片２１ａを前記他方の構成部材３ｂにおける突片受け１７ｂの隙間１５ｂに回動自在に嵌合させ、前記他方の構成部材３ｂにおける突片２１ｂを前記一方の構成部材３ａにおける突片受け１７ａの隙間１５ａに回動自在に嵌合させた物干し用挟持具において、
各構成部材３ａ、３ｂの前記凸部１１ａ、１１ｂにおける前記突壁１３ａ、１３ｂに臨む面には軸部３１ａ、３１ｂを該軸部３１ａ、３１ｂの先端面３１ａ’、３１ｂ’と該突壁１３ａ、１３ｂとの間に間隔３３ａ、３３ｂを置いた状態で突設し、前記突片２１ａ、２１ｂには該軸部３１ａ、３１ｂを受ける透孔３５ａ、３５ｂを形成し、以て該軸部３１ａ、３１ｂを該透孔３５ａ、３５ｂに回転自在に挿通させたことを特徴とする物干し用挟持具。
【請求項４】
前記凸部１１ａ、１１ｂに突設した前記軸部３１ａ、３１ｂの各先端面３１ａ’、３１ｂ’には対向する構成部材３ａ（３ｂ）の前記突片２１ａ、２１ｂに臨む方向に向かって徐々に該凸部１１ａ、１１ｂに接近するように傾斜した傾斜面３７ａ、３７ｂを形成し、前記突片２１ａ、２１ｂおける対向する構成部材３ａ（３ｂ）の軸部３１ａ、３１ｂに臨む面には該軸部３１ａ、３１ｂの通過溝３９ａ、３９ｂを該透孔３５ａ、３５ｂから該突片２１ａ、２１ｂの先端縁４１ａ、４１ｂまで形成し、該通過溝３９ａ、３９ｂの底部３９ａ’、３９ｂ’は対向する構成部材３ａ（３ｂ）の該軸部３１ａ、３１ｂに臨む方向に向かって徐々に深くなるように傾斜させたことを特徴とする請求項３に記載の物干し用挟持具。
【発明の詳細な説明】
【技術分野】
【０００１】
本発明は、物干し用挟持具に関するものであり、被固定物を物干し竿その他の支持体に固定する際に使用する物干し用挟持具に係るものである。物干し用挟持具には、例えば、洗濯ばさみ（ピンチ）、竿ピンチ、ふとんばさみ等が含まれる。
【０００２】
本出願において、「被固定物」とは、物干し用挟持具により物干し竿その他の支持体に固定されるものをいい、「被固定物」には衣類その他の洗濯物、物干し具、布団、毛布等の他、支持体に固定される物干し竿が含まれる。 
【背景技術】
【０００３】
物干し用挟持具としては、例えば特開２０１６−３６６９７号公報に示すように、二つの構成部材を当該各構成部材の一端部が相互に接離自在になるように相互に回動自在に枢着し、該構成部材に備えさせたバネの力により当該各構成部材の一端部間に被固定物を挟持するようにした洗濯ばさみが従来より広く使用されている。
【０００４】
上記従来の物干し用挟持具（洗濯ばさみ）（以下「従来の物干し用挟持具（イ）という。）においては、各構成部材は、それぞれ一側縁に丸い先端を有する凸部を形成すると共に該凸部の近傍に突壁を設けることにより該凸部と該突壁との間に隙間を有する突片受けとなし、他側縁には凸部受けを形成すると共に突片を該凸部受けの内側に設け、 一方の構成部材の前記凸部を他方の構成部材の前記凸部受けに回動自在に嵌合させると共に、一方の構成部材の前記突片を他方の構成部材の突片受けの隙間に回動自在に嵌合させている。
【０００５】
また、別の物干し用挟持具（以下「従来の物干し用挟持具（ロ）という。）においては、一方の構成部材の各側部に軸を突設し、他方の構成部材の対応各側部に該軸を受ける透孔を設けてなるものである。ちなみに、合成樹脂により成型される構成部材においては、各側部の内側面に軸を受ける凹部を形成することは実際的ではないため、各側部を貫通する透孔により該軸を受けさせる必要がある。なお、従来の物干し用挟持具（ロ）は、該構成部材に備えさせたバネの力により当該各構成部材の一端部間に被固定物を挟持するようにした点においては、上記物干し用挟持具（イ）と共通する。
【０００６】
更に別の物干し用挟持具（以下「従来の物干し用挟持具（ハ）という。）においては、各構成部材にそれぞれ透孔を形成し、組立後、該透孔に軸を外部から挿入するようにしている。なお、従来の物干し用挟持具（ハ）は、該構成部材に備えさせたバネの力により当該各構成部材の一端部間に被固定物を挟持するようにした点においては、上記物干し用挟持具（イ）と共通する。
【先行技術文献】
【特許文献】
【０００７】
【特許文献１】特開２０１６−３６６９７号公報
【発明の概要】
【発明が解決しようとする課題】
【０００８】
従来の物干し用挟持具（イ）においては、該物干し用挟持具に捻じれる方向の力が加えられたときに、各構成部材を相互に回動自在に枢着している枢着部が外れるおそれがある。
【０００９】
従来の物干し用挟持具（ロ）においては、各透孔に挿入された軸が外部から見えてしまうという外観上の問題がある。
【００１０】
従来の物干し用挟持具（ハ）においては、透孔に挿入された軸が外部から見えてしまうという外観上の問題があるだけでなく、部品点数が多くなり、組立て工程が増えるという問題もある。
【００１１】
本発明は、従来の物干し用挟持具（イ）（ロ）（ハ）における上述の問題を一挙に解決し、各構成部材を相互に回動自在に枢着している枢着部が外れるおそれがなく、軸が外部から見えることもないのみならず、組立てが容易な物干し用挟持具を提供しようとしてなされたものである。
【課題を解決するための手段】
【００１２】
上記課題を解決するために、本発明は下記の物干し用挟持具を提供するものである。以下、各構成部材、部分、部品等は、図面に付したものと同一の符号を付して述べる。
【００１３】
（１）二つの構成部材３ａ、３ｂを当該各構成部材３ａ、３ｂの一端部５ａ、５ｂが相互に接離自在になるように相互に回動自在に枢着し、該構成部材３ａ、３ｂに備えさせたバネ７により当該各構成部材３ａ、３ｂの一端部５ａ、５ｂ間に被固定物を挟持するようにし、
当該各構成部材３ａ、３ｂは、それぞれ一側縁９ａ、９ｂに丸い先端１１ａ’、１１ｂ’を有する凸部１１ａ、１１ｂを形成すると共に該凸部１１ａ、１１ｂの近傍に突それぞれ突壁１３ａ、１３ｂを設けることにより該凸部１１ａ、１１ｂと該突壁１３ａ、１３ｂとの間に隙間１５ａ、１５ｂを有する突片受け１７ａ、１７ｂを形成し、当該各構成部材３ａ、３ｂの他側縁９ａ’、９ｂ’にはそれぞれ凸部受け１９ａ、１９ｂを形成すると共に突片２１ａ、２１ｂを該凸部受け１９ａ、１９ｂの内側に設け、 
前記一方の構成部材３ａにおける凸部１１ａを前記他方の構成部材３ｂにおける凸部受け１９ｂに回動自在に嵌合させ、前記他方の構成部材３ｂにおける凸部１１ｂを前記一方の構成部材３ａにおける凸部受け１９ａに回動自在に嵌合させると共に、前記一方の構成部材３ａにおける突片２１ａを前記他方の構成部材３ｂにおける突片受け１７ｂの隙間１５ｂに回動自在に嵌合させ、前記他方の構成部材３ｂにおける突片２１ｂを前記一方の構成部材３ａにおける突片受け１７ａｂの隙間１５ａに回動自在に嵌合させた物干し用挟持具において、
前記各構成部材３ａ、３ｂの突壁１３ａ、１３ｂにおける凸部１１ａ、１１ｂに臨む面にはそれぞれ軸部３１ａ、３１ｂを該軸部３１ａ、３１ｂの先端面３１ａ’、３１ｂ’と該凸部１１ａ、１１ｂとの間に間隔３３ａ、３３ｂを置いた状態で突設し、前記突片２１ａ、２１ｂには該軸部３１ａ、３１ｂを受ける透孔３５ａ、３５ｂを形成し、以て該軸部３１ａ、３１ｂをそれぞれ該透孔３５ａ、３５ｂに回転自在に挿通させたことを特徴とする物干し用挟持具（請求項１）。
【００１４】
（２）前記突壁１３ａ、１３ｂに突設した前記各軸部３１ａ、３１ｂの各先端面３１ａ’、３１ｂ’には対向する構成部材３ａ（３ｂ）の前記突片２１ａ、２１ｂに臨む方向に向かって徐々に該突壁１３ａ、１３ｂに接近するように傾斜した傾斜面３７ａ、３７ｂを形成し、前記突片２１ａ、２１ｂにおける対向する構成部材３ａ（３ｂ）の軸部３１ａ、３１ｂに臨む面には該軸部３１ａ、３１ｂの通過溝３９ａ、３９ｂを該透孔３５ａ、３５ｂから該突片２１ａ、２１ｂの先端縁４１ａ、４１ｂまで形成し、該通過溝３９ａ、３９ｂの底部３９ａ’、３９ｂ’は対向する構成部材３ａ（３ｂ）の該軸部３１ａ、３１ｂに臨む方向に向かって徐々に深くなるように傾斜させる（請求項２）。
【００１５】
（３）二つの構成部材３ａ、３ｂを当該各構成部材３ａ、３ｂの一端部５ａ、５ｂが相互に接離自在になるように相互に回動自在に枢着し、該構成部材３ａ、３ｂに備えさせたバネ７により当該各構成部材３ａ、３ｂの一端部５ａ、５ｂ間に被固定物を挟持するようにし、
当該各構成部材３ａ、３ｂは、それぞれ一側縁９ａ、９ｂに丸い先端１１ａ’、１１ｂ’を有する凸部１１ａ、１１ｂを形成すると共に該凸部１１ａ、１１ｂの近傍にそれぞれ突壁１３ａ、１３ｂを設けることにより該凸部１１ａ、１１ｂと該突壁１３ａ、１３ｂとの間に隙間１５ａ、１５ｂを有する突片受け１７ａ、１７ｂを形成し、当該各構成部材３ａ、３ｂの他側縁９ａ’、９ｂ’にはそれぞれ凸部受け１９ａ、１９ｂを形成すると共に突片２１ａ、２１ｂを該凸部受け１９ａ、１９ｂの内側に設け、 
前記一方の構成部材３ａにおける凸部１１ａを前記他方の構成部材３ｂにおける凸部受け１９ｂに回動自在に嵌合させ、前記他方の構成部材３ｂにおける凸部１１ｂを前記一方の構成部材３ａにおける凸部受け１９ａに回動自在に嵌合させると共に、前記一方の構成部材３ａにおける突片２１ａを前記他方の構成部材３ｂにおける突片受け１７ｂの隙間１５ｂに回動自在に嵌合させ、前記他方の構成部材３ｂにおける突片２１ｂを前記一方の構成部材３ａにおける突片受け１７ａの隙間１５ａに回動自在に嵌合させた物干し用挟持具において、
各構成部材３ａ、３ｂの前記凸部１１ａ、１１ｂにおける前記突壁１３ａ、１３ｂに臨む面には軸部３１ａ、３１ｂを該軸部３１ａ、３１ｂの先端面３１ａ’、３１ｂ’と該突壁１３ａ、１３ｂとの間に間隔３３ａ、３３ｂを置いた状態で突設し、前記突片２１ａ、２１ｂには該軸部３１ａ、３１ｂを受ける透孔３５ａ、３５ｂを形成し、以て該軸部３１ａ、３１ｂを該透孔３５ａ、３５ｂに回転自在に挿通させる（請求項３）。
【００１６】
（４）前記凸部１１ａ、１１ｂに突設した前記軸部３１ａ、３１ｂの各先端面３１ａ’、３１ｂ’には対向する構成部材３ａ（３ｂ）の前記突片２１ａ、２１ｂに臨む方向に向かって徐々に該凸部１１ａ、１１ｂに接近するように傾斜した傾斜面３７ａ、３７ｂを形成し、前記突片２１ａ、２１ｂおける対向する構成部材３ａ（３ｂ）の軸部３１ａ、３１ｂに臨む面には該軸部３１ａ、３１ｂの通過溝３９ａ、３９ｂを該透孔３５ａ、３５ｂから該突片２１ａ、２１ｂの先端縁４１ａ、４１ｂまで形成し、該通過溝３９ａ、３９ｂの底部３９ａ’、３９ｂ’は対向する構成部材３ａ（３ｂ）の該軸部３１ａ、３１ｂに臨む方向に向かって徐々に深くなるように傾斜させる（請求項４）。
【発明の効果】
【００１７】
[請求項１の発明]
請求項１の発明によれば、各構成部材３ａ、３ｂの前記突壁１３ａ、１３ｂにおける凸部１１ａ、１１ｂに臨む面には軸部３１ａ、３１ｂを該軸部３１ａ、３１ｂの先端面３１ａ’、３１ｂ’と該凸部１１ａ、１１ｂとの間に間隔３３ａ、３３ｂを置いた状態で突設し、前記突片２１ａ、２１ｂには該軸部３１ａ、３１ｂを受ける透孔３５ａ、３５ｂを形成し、以て該軸部３１ａ、３１ｂを該透孔３５ａ、３５ｂに回転自在に挿通させているため、各構成部材３ａ、３ｂを相互に回動自在に枢着している枢着部が外れるおそれがなく、軸が外部から見えることもなく、かつ、組立ての容易性も損なわれない。
【００１８】
[請求項２の発明]
請求項２の発明によれば、前記突壁１３ａ、１３ｂに突設した前記軸部３１ａ、３１ｂの先端面３１ａ’、３１ｂ’には対向する構成部材の前記突片２１ａ、２１ｂに臨む方向に向かって徐々に該突壁１３ａ、１３ｂに接近するように傾斜した傾斜面３７ａ、３７ｂを形成し、前記突片２１ａ、２１ｂおける対向する構成部材の軸部３１ａ、３１ｂに臨む面には該軸部３１ａ、３１ｂの通過溝３９ａ、３９ｂを該透孔３５ａ、３５ｂから該突片２１ａ、２１ｂの先端縁４１ａ、４１ｂまで形成し、該通過溝３９ａ、３９ｂの底部３９ａ’、３９ｂ’は対向する構成部材の該軸部３１ａ、３１ｂに臨む方向に向かって徐々に深くなるように傾斜させたため、該軸部３１a、３１ｂを該透孔３５ａ、３５ｂに挿通させる作業は一層容易なものとなると共に、該軸部３１ａ、３１ｂは該透孔３５ａ、３５ｂから一層抜けにくくなる。
【００１９】
[請求項３の発明]
請求項３の発明は、請求項１の発明における軸部３１ａ、３１ｂを突壁１３ａ、１３ｂ側から凸部１１ａ、１１ｂ側に変更したものであり、請求項１の発明と同様の効果を発揮する。
【００２０】
[請求項４の発明]
請求項４の発明は、請求項３の発明における軸部３１ａ、３１ｂの先端面３１ａ’、３１ｂ’と通過溝３９ａ、３９ｂの底部３９ａ’、３９ｂ’とを傾斜させたものであり、請求項２の発明と同様の効果を発揮する。
【図面の簡単な説明】
【００２１】
【図１】図１は、本発明による物干し用挟持具の一例における組立前の各構成部材の一部を示す平面図である。
【図２】図２は、同上物干し用挟持具を組立てた状態の一部を示す平面図である。
【図３】図３は、図１のＩＩＩ方向矢視図である。
【図４】図４は、図３のＩＶ−ＩＶ線断面図である。
【図５】図５は、図１のＶ方向矢視図である。
【図６】図６は、軸部と透孔とを示す参考図ある。
【図７】図７は、図１のＶＩＩ−ＶＩＩ線断面図である。
【図８】図８は、図１のＶＩＩＩ−ＶＩＩＩ線断面図である。
【図９】図９は、本発明による物干し用挟持具の別の一例における組立前の各構成部材の一部を示す平面図である。
【図１０】図１０は、本発明による物干し用挟持具の一例を示す正面図である。
【発明を実施するための形態】
【００２２】
まず、本発明による物干し用挟持具が 従来の物干し用挟持具（イ）と共通する点について説明する。
【００２３】
本発明による物干し用挟持具１（図１０参照）は、二つの構成部材３ａ、３ｂを当該各構成部材３ａ、３ｂの一端部５ａ、５ｂが相互に接離自在になるように相互に回動自在に枢着し、該構成部材３ａ、３ｂに備えさせたバネ７により当該各構成部材３ａ、３ｂの一端部５ａ、５ｂ間に被固定物を挟持するようにしたものである。
【００２４】
すなわち、 当該各構成部材３ａ、３ｂは、それぞれ一側縁９ａ、９ｂに丸い先端１１ａ’、１１ｂ’を有する凸部１１ａ、１１ｂを形成すると共に該凸部１１ａ、１１ｂの近傍に突それぞれ突壁１３ａ、１３ｂを設けることにより該凸部１１ａ、１１ｂと該突壁１３ａ、１３ｂとの間に隙間１５ａ、１５ｂを有する突片受け１７ａ、１７ｂを形成し、当該各構成部材３ａ、３ｂの他側縁９ａ’、９ｂ’にはそれぞれ凸部受け１９ａ、１９ｂを形成すると共に突片２１ａ、２１ｂを該凸部受け１９ａ、１９ｂの内側に設け、 
前記一方の構成部材３ａにおける凸部１１ａを前記他方の構成部材３ｂにおける凸部受け１９ｂに回動自在に嵌合させ、前記他方の構成部材３ｂにおける凸部１１ｂを前記一方の構成部材３ａにおける凸部受け１９ａに回動自在に嵌合させると共に、前記一方の構成部材３ａにおける突片２１ａを前記他方の構成部材３ｂにおける突片受け１７ｂの隙間１５ｂに回動自在に嵌合させ、前記他方の構成部材３ｂにおける突片２１ｂを前記一方の構成部材３ａにおける突片受け１７ａｂの隙間１５ａに回動自在に嵌合させる。
【００２５】
しかして、図１〜図８に示す本発明の一例においては、前記各構成部材３ａ、３ｂの突壁１３ａ、１３ｂにおける凸部１１ａ、１１ｂに臨む面にはそれぞれ軸部３１ａ、３１ｂを該軸部３１ａ、３１ｂの先端面３１ａ’、３１ｂ’と該凸部１１ａ、１１ｂとの間に間隔３３ａ、３３ｂを置いた状態で突設し、前記突片２１ａ、２１ｂには該軸部３１ａ、３１ｂを受ける透孔３５ａ、３５ｂを形成し、以て該軸部３１ａ、３１ｂをそれぞれ該透孔３５ａ、３５ｂに回転自在に挿通させる。
【００２６】
本発明の別の一例においては、好ましくは、前記突壁１３ａ、１３ｂに突設した前記各軸部３１ａ、３１ｂの各先端面３１ａ’、３１ｂ’には対向する構成部材３ａ（３ｂ）の前記突片２１ａ、２１ｂに臨む方向に向かって徐々に該突壁１３ａ、１３ｂに接近するように傾斜した傾斜面３７ａ、３７ｂを形成し、前記突片２１ａ、２１ｂにおける対向する構成部材３ａ（３ｂ）の軸部３１ａ、３１ｂに臨む面には該軸部３１ａ、３１ｂの通過溝３９ａ、３９ｂを該透孔３５ａ、３５ｂから該突片２１ａ、２１ｂの先端縁４１ａ、４１ｂまで形成し、該通過溝３９ａ、３９ｂの底部３９ａ’、３９ｂ’は対向する構成部材３ａ（３ｂ）の該軸部３１ａ、３１ｂに臨む方向に向かって徐々に深くなるように傾斜させる（図３〜図８参照）。
【００２７】
図９に示す事例は、図１〜図８に示す前記事例における軸部３１ａ、３１ｂを突壁１３ａ、１３ｂではなく、凸部１１ａ、１１ｂに突設したものである。すなわち、図９に示す事例においては、各構成部材３ａ、３ｂの前記凸部１１ａ、１１ｂにおける前記突壁１３ａ、１３ｂに臨む面には軸部３１ａ、３１ｂを該軸部３１ａ、３１ｂの先端面３１ａ’、３１ｂ’と該突壁１３ａ、１３ｂとの間に間隔３３ａ、３３ｂを置いた状態で突設し、前記突片２１ａ、２１ｂには該軸部３１ａ、３１ｂを受ける透孔３５ａ、３５ｂを形成し、以て該軸部３１ａ、３１ｂを該透孔３５ａ、３５ｂに回転自在に挿通させている。
【００２８】
図９に示す事例においては、好ましくは、前記凸部１１ａ、１１ｂに突設した前記軸部３１ａ、３１ｂの各先端面３１ａ’、３１ｂ’には対向する構成部材３ａ（３ｂ）の前記突片２１ａ、２１ｂに臨む方向に向かって徐々に該凸部１１ａ、１１ｂに接近するように傾斜した傾斜面３７ａ、３７ｂを形成し、前記突片２１ａ、２１ｂおける対向する構成部材３ａ（３ｂ）の軸部３１ａ、３１ｂに臨む面には該軸部３１ａ、３１ｂの通過溝３９ａ、３９ｂを該透孔３５ａ、３５ｂから該突片２１ａ、２１ｂの先端縁４１ａ、４１ｂまで形成し、該通過溝３９ａ、３９ｂの底部３９ａ’、３９ｂ’は対向する構成部材３ａ（３ｂ）の該軸部３１ａ、３１ｂに臨む方向に向かって徐々に深くなるように傾斜させている（図３〜図８をも参照）。
【符号の説明】
【００２９】
１ 本発明による物干し用挟持具
３ａ  構成部材
３ｂ  構成部材
５ａ 一端部
５ｂ 一端部
７ バネ
９ａ 一側縁
９ｂ 一側縁
９ａ’ 他側縁
９ｂ’ 他側縁
１１ａ 凸部
１１ｂ 凸部
１１ａ’ 丸い先端
１１ｂ’ 丸い先端
１３ａ 突壁
１３ｂ 突壁
１５ａ 隙間
１５ｂ 隙間
１７ａ 突片受け
１７ｂ 突片受け
１９ａ 凸部受け
１９ｂ 凸部受け
２１ａ 突片
２１ｂ 突片
３１ａ  軸部
３１ｂ  軸部
３１ａ’先端面
３１ｂ’先端面
３３ａ  間隔
３３ｂ  間隔
３５ａ 透孔
３５ｂ 透孔
３７ａ 傾斜面
３７ｂ 傾斜面
３９ａ 通過溝
３９ｂ 通過溝
３９ａ’ 底部
３９ｂ’ 底部
４１ａ 先端縁
４１ｂ 先端縁
【図１】
2019017629.tif 000003
【図２】
2019017629.tif 000004
【図３】
2019017629.tif 000005
【図４】
2019017629.tif 000006
【図５】
2019017629.tif 000007
【図６】
2019017629.tif 000008
【図７】
2019017629.tif 000009
【図８】
2019017629.tif 000010
【図９】
2019017629.tif 000011
【図１０】
2019017629.tif 000012